(57)【特許請求の範囲】
【請求項１】
同方向での結像面寸法（Ｘ）の数値と、任意の可変スイッチにより選択された被写体面寸法（Ｙ）の数値を基準に、被写体間距離（Ｔ）の数値変化に合わせ、撮影装置の主点を  ｂ＝Ｔ÷（（１÷（Ｘ÷Ｙ））＋１）  の式により求めた数値の結像主点間距離（ｂ）に移動させる演算による被写体面寸法維持方法。
【請求項２】
被写体間距離（Ｔ）を数値として認識する被写体間距離認識装置と、被写体面寸法（Ｙ）の数値が可変選択可能な可変スイッチよりなる被写体面寸法（Ｙ）可変装置と、前記被写体間距離認識装置から得た被写体間距離（Ｔ）数値と前記被写体面寸法（Ｙ）可変装置から得た被写体面寸法（Ｙ）数値と、結像面寸法（Ｘ）数値を認識する認識装置と該認識装置の情報を基に  ｂ＝Ｔ÷（（１÷（Ｘ÷Ｙ））＋１）  の式により結像主点間距離（ｂ）を求める演算装置と該演算装置からの結像主点間距離（ｂ）に主点位置を移動することのできる主点移動装置を具備した撮影装置。
【発明の詳細な説明】
【０００１】
【発明の属する技術分野】
本願発明はレンズを使用する装置に関するものである。
【０００２】
【従来の技術】
従来は、主に前後に移動する被写体に対して大きさとその大きさが占める画像内での占有率からなる構図を自動的に維持しながら撮影する方法として、すべての被写体に対して任意の部分に焦点の合った状態で
０１）  人物を撮影すると仮定し、バストショット、フルショット等の被写体に対しての構図を決める
０２）  画角調整リングをワイド端へ移動
０３）  ０１）で決めた構図が撮影可能な位置に撮影装置を設置する
０４）  画角調整リングをテレ端まで稼動させながら０３）で決めた構図が維持できるよう被写体から撮影装置を離して行くか該被写体を遠ざけて行く
０５）  ０４）での画角調整リングの角度位置を該被写体から離れる距離毎に記録しておく
０６）  ０１）の構図毎に、０２）、０３）、０４）の工程で記録しておく
０７）  ０２）、０３）、０４）への工程以外に、テレ端で前記構図になる位置から該構図を維持しながら被写体に近づきつつワイド端へと調整しても該被写体との距離毎の画角調整リングの角度位置のデータは同じである
０８）  撮影装置に被写体との距離が認識できる機能を具備し
０９）  被写体との距離毎の画角調整リングの角度位置のデータを各々の構図毎に記憶できるよう記憶装置を設ける
１０）  ０１）でのバストショットかフルショットの構図が選択できるよう各構図を指定する選択スイッチを設け
１１）  指定されたスイッチのON状態で、０８）で認識している被写体間からの距離データを元に、０９）の記憶装置から、該指定された構図と同じ構図の画角調整リングの角度位置データを呼び出し、呼び出したデータと同じ角度位置になるよう画角調整リングを稼動させる装置を具備する
以上によりバストショット、フルショット等の構図を選択するスイッチをON状態にすると、１０）で得られた目的の被写体間との距離データを元に１１）の作用により画角調整リングが自動で調整され、被写体の前後の移動に関係なく、選択した構図を維持した画像が、該撮影装置で画角調整可能な範囲の被写体間の距離内で得られる。
１２）  ０２）、０３）、０４）で得たデータを元に焦点調整リングから得る被写体との距離に応じて希望の構図が得られるよう該焦点調整リングと画角調整リングに計算されたカムを関連付けることにより、前後に移動する被写体に対して焦点を合わせて追跡すると、焦点調整リングの稼動にともない、カムにより連結された画角調整リングが自動調整され、被写体の前後の移動に関係なく、選択した構図を維持した画像が、該撮影装置で画角調整可能な範囲の被写体間の距離内で得られる。
１３）  従来は前後左右等に移動する被写体に対して自動追跡して撮影するよう、該被写体に発信部を具備させ、該発信部の方向を自動追跡する方向探知機に撮影装置が該発信部に正対するよう設置することにより被写体を自動追跡して撮影していた。
【０００３】
【発明が解決しようとする課題】
０００２の０５）は被写体との距離ごとに画角調整リングの角度位置のデータを記憶装置のメモリに記録するが、該距離の設定をメートル、センチ、ミリ、マクロ等設定方法により無限に近いメモリが必要になり又、大きい人、子供等の小さい人のバストショットでは、同じ距離で同じ画角調整リングの角度位置では画像上での被写体の占有率が違い適切なバストショットとは言えず、画面上で被写体の占有率が選択できるようスイッチを複数設定しなければ理想のバストショットを得ることができない、フルショット撮影も同様で各々適切な映像を得るには無限のメモリと、大きさを指定する無数のスイッチが必要で、カムを利用した方法も同様に一つの構図に対して一つのカムが必要で、無数にある構図毎に該カムが必要であり、各々実用には不向きであった。
【０００４】
０００２の１３）の前後移動では目的の被写体が遠く離れれば小さく写り、近づきすぎれば拡大映像になり、どちらも見づらいので遠隔操作で画角を調整して希望する構図を得ていた。
【０００５】
【課題を解決するための手段】
０１）  実像が主点を経過し反転した状態で投影される像の関係で、実像と実像から主点までの距離と、投影像と投影像から主点までの距離は比例することから、実像と投影像の幅なら幅、高さなら高さ、対角なら対角と同じ方向の寸法を抜粋し  実像寸法÷実像主点間距離＝投影像寸法÷投影像主点間距離のように式を定義する。
０２）  図１のＸは０１）の投影像に相当し３５ミリフイルムの結像面で３５ミリの結像面寸法（Ｘ）になり、各Ｙ１、Ｙ２、Ｙ３が実像に相当し、結像面と平行する面を持つ３５センチ四方の板で、各主点のＰ１、Ｐ２、Ｐ３を経過し結像面の３５ミリ寸法幅一杯に映っている、そこに映っている実像である被写体の面を被写体面とし３５センチ幅なので３５０ミリの被写体面寸法（Ｙ）となり、３５ミリの結像面に３５０ミリ分の被写体面が映っていることになり、０１）で定義した  実像寸法÷実像主点間距離＝投影像寸法÷投影像主点間距離の式を  被写体面寸法（Ｙ）÷被写体主点間距離（W）＝結像面寸法（Ｘ）÷結像主点間距離（ｂ）に置き換え  Ｙ÷W＝Ｘ÷ｂの式を導いた。
０３）  図１の光軸（Ｚ）線上に被写体となる各板のＹ１、Ｙ２、Ｙ３に焦点の合った中心点があり、各中心点から結像面との距離が各被写体間距離（Ｔ）になり、Ｔ１が１１５５ミリ、Ｔ２が７７０ミリ、Ｔ３が３０８ミリで、各被写体間距離（Ｔ）は各結像主点間距離（ｂ）と各被写体主点間距離（W）の合計で  Ｔ＝W＋ｂの式になる。
０４）  仮に、図１の各Ｙ１、Ｙ２、Ｙ３の板が１メートル四方の板と入れ替わったとしても、結像面寸法（Ｘ）も変わらず、各主点のＰ１、Ｐ２、Ｐ３の位置も変わらない場合、結像面に映し出される映像は、同じ３５０ミリ寸法分の板面部分で、被写体面の寸法は変わらず、１０００ミリ四方の板面内の３５０ミリ寸法の被写体面寸法（Ｙ）を映していることに変わりはない。
０５）  ０４）に続き、各Ｙ１、Ｙ２、Ｙ３の板が２０センチ四方の板と入れ替わったとしても、結像面寸法（Ｘ）も変わらず、各主点のＰ１、Ｐ２、Ｐ３の位置も変わらない場合、結像面に映し出される映像は、光軸（Ｚ）線上に焦点の合った２００ミリ四方の板が結像面の２０ミリ分に映っていて、残った端面に焦点の合っていない背景が１５ミリ分の結像面に映っていて、結像面の２０ミリ寸法分に映っている２００ミリ四方の板が２００ミリ分の被写体面寸法（Ｙ）になり、残り端面の１５ミリ寸法分の結像面に映っている背景が１５０ミリ分相当の被写体面寸法（Ｙ）で、合計で３５０ミリになることから、３５０ミリ寸法の被写体面寸法（Ｙ）を映していることに変わりはない。
０６）  ０４）０５）により解ることは、寸法の決まった結像面から主点までの距離が決まっている時、結像面に映し出される被写体面寸法（Ｙ）の大きさは被写体間距離（Ｔ）で決まることから、撮りたいと思う被写体の大きさである被写体面寸法（Ｙ）と被写体間距離（Ｔ）が決まっていれば、主点（Ｐ）の位置は一点だけなので、主点（Ｐ）位置を決める結像主点間距離（ｂ）を０２）と０３）に記載の  Ｙ÷W＝Ｘ÷ｂと  Ｔ＝W＋ｂを条件式にして、  ｂ＝Ｔ÷（（１÷（Ｘ÷Ｙ））＋１）の式を導いた。
０７）  被写体として、人物の肩から上３５０ミリを映すことを目的に、０６）のｂ＝Ｔ÷（（１÷（Ｘ÷Ｙ））＋１）の式で０３）で明記されているＴ３の被写体間距離（Ｔ）３０８ミリから３０８÷（（１÷（３５÷３５０））＋１）＝２８を割り出し、画角調整機能付３５ミリフイルムカメラの主点（Ｐ）を２８ミリの位置に移動し縦に構え、被写体に対して光軸（Ｚ）上で焦点が合うよう３０８ミリの被写体間距離（Ｔ）で写すと、証明写真のような構図の写真が撮れる。
０８）  ０７）と同じように０３）で明記されたＴ１の１１５５ｍｍとＴ２の７７０mmから１１５５÷（（１÷（３５÷３５０））＋１）＝１０５と７７０÷（（１÷（３５÷３５０））＋１）＝７０を導き、実行することで０００２の０２）、０３）、０４）と同様、０８）と同じ構図の写真が撮れる。
０９）  図２はG、H、I、J、K、Lの被写体面寸法（Ｙ）を得るための被写体間距離（Ｔ）と結像主点間距離（ｂ）の関係を  ｂ＝Ｔ÷（（１÷（Ｘ÷Ｙ））＋１）の式により得て、表にした図である。
以上のことから結像面と並行し、光軸（Ｚ）から一番近い焦点を基準にした面を被写体面とし、結像面と該被写体面の同方向の長さを抜粋し、抜粋した被写体面寸法（Ｙ）を指定することでその寸法を維持するための主点（Ｐ）位置が、計算により導かれ、導かれた数値を基に主点（Ｐ）を移動することで自動的に同じ構図の被写体が撮影可能になる。
【０００６】
ビデオカメラ（１）は電動で稼動するズーム機能とそれを操作するリモコンのジャックが有り３５ｍｍのワイド端から１０５ｍｍのテレ端へとボタン操作が出来、オートフォーカスとマニュアル機能の切替えが出来る。
【０００７】
ビデオカメラ（１）の焦点調整リング（２）は回転稼動することにより焦点レンズを移動させ、焦点レンズの位置毎にピントの合う被写体間距離（Ｔ）が決まっているので被写体間距離（Ｔ）の最至近距離５０ｃｍから無限大までの被写体に対してピントを合わせる事が出来る。
【０００８】
ビデオカメラ（１）の倍率調整リング（３）は回転稼動することにより、結像主点間距離（ｂ）の３５ｍｍのワイド端から１０５ｍｍのテレ端の間をズームレンズと一緒に主点を移動させ、結像主点間距離（ｂ）毎に倍率が決まっているので結像面上の映像倍率を変化させる。
【０００９】
図５の選択ボタン（４）はＯＦＦの記号とｃｍの単位で３５，５０，１００，２００，４００，８００の被写体面寸法（Ｙ）の各数値が記入されていて、ＯＦＦの位置にスイッチ（５A）がＯＮ状態になるよう設置してあり、指標（５）を目標に回転する事によりスイッチ（５A）が本機能の待機状態で３５ｃｍから８ｍの順に希望の被写体面寸法（Ｙ）数値が選択できる。
【００１０】
焦点調整リング（２）にセンサ（２Ａ）が設置されていて、焦点調整リング（２）の最至近距離から無限大間を調整する時の各回転稼動量をセンサ（２A）が探知し、その情報を信号としてＣＰＵ（１０）へ送信する。
【００１１】
倍率調整リング（３）にセンサ（３Ａ）が設置されていて、倍率調整リング（３）の３５ｍｍのワイド端から１０５ｍｍのテレ端を調整する時の各回転稼動量をセンサ（３Ａ）が探知し、その情報を信号としてＣＰＵ（１０）へ送信する。
【００１２】
選択ボタン（４）にはセンサ（４Ａ）とスイッチ（５Ａ）が設置されていて、選択ボタン（４）のＯＦＦが指標（５）の位置にあるときはスイッチ（５Ａ）がＣＰＵ（１０）にＯＮ情報を送信していて、３５から８００間を選択する時の各回転量をセンサ（４Ａ）が探知し、その情報を信号としてＣＰＵ（１０）へ送信する。
【００１３】
ＣＰＵ（１０）は０００５の決まっている３５ｍｍの結像面寸法（Ｘ）を数値として記憶している。
【００１４】
ＣＰＵ（１０）はセンサ（２Ａ）の信号を０００７の焦点調整リング（２）の回転量に合わせた５０ｃｍから無限大の順に被写体間距離（Ｔ）数値に変換され記憶していて、焦点調整リング（２）の稼動毎にＣＰＵ（１０）は被写体間距離（Ｔ）数値が認識できる。
【００１５】
ＣＰＵ（１０）はセンサ（３Ａ）の信号を０００８の倍率調整リング（３）の回転量に合わせた３５ｍｍから１０５ｍｍの順に結像主点間距離（ｂ）数値に変換され記憶していて、倍率調整リング（３）の稼動毎にＣＰＵ（１０）は結像主点間距離（ｂ）数値が認識できる。
【００１６】
ＣＰＵ（１０）はセンサ（４Ａ）の信号を０００９の選択ボタン（４）の回転量に合わせたＯＦＦが待機状態で３５ｃｍから８ｍの順に被写体面寸法（Ｙ）数値に変換され記憶していて、選択ボタン（４）の稼動毎にＣＰＵ（１０）は待機状態と被写体面寸法（Ｙ）数値が認識できる。
【００１７】
CＰU（１０）はスイッチ（５A）の信号で待機状態になり、スイッチ（５A）の信号がなくなると、センサ（４A）からの受信を優先しセンサ（２A）とセンサ（３A）の受信を待っている。
【００１８】
ＣＰＵ（１０）は００１６の被写体面寸法（Ｙ）数値相当の信号を受け、結像面寸法（Ｘ）の３５ｍｍと００１４の被写体間距離（Ｔ）数値とを基にＢ＝Ｔ÷（（１÷（Ｘ÷Ｙ））＋１）を演算し、Ｂを主点選択距離（Ｂ）に置き換え認識している。
【００１９】
ＣＰＵ（１０）は００１５の結像主点間距離（ｂ）の数値が変わらず００１７の主点選択距離（Ｂ）が少なければ拡大スイッチ（１１）へ信号を送り、結像主点間距離（ｂ）の数値に対して主点選択距離（Ｂ）数値が同じになるかそれ以上になった時、拡大スイッチ（１１）への送信を停止する。
【００２０】
ＣＰＵ（１０）は００１５の結像主点間距離（ｂ）の数値が変わらず００１７の主点選択距離（Ｂ）が多ければ縮小スイッチ（１２）へ信号を送り、結像主点間距離（ｂ）の数値に対して主点選択距離（Ｂ）数値が同じになるかそれ以下になった時、拡大スイッチ（１１）への送信を停止する。
【００２１】
拡大スイッチ（１１）は間接スイッチでＣＰＵ（１０）からの受信で接続になり、出力ジャック（７）とケーブル（８）を経由し、リモコンジャック（９）へとつながり０００６でのリモコン操作のワイド端ボタンの代わりをする。
【００２２】
縮小スイッチ（１２）は間接スイッチでＣＰＵ（１０）からの受信で接続になり、出力ジャック（７）とケーブル（８）を経由し、リモコンジャック（９）へとつながり０００６でのリモコン操作のテレ端ボタンの代わりをする。
【００２３】
【発明の実施の形態】
図１の３５ｍｍの結像面寸法（Ｘ）から正対した３５０ｍｍの同じ寸法の面を持つＹ１、Ｙ２、Ｙ３の各被写体面の間が  Ｔ１の１１５５ｍｍ、Ｔ２の７７０mm、Ｔ３の３０８ｍｍの各被写体間距離（Ｔｎ）で、その中に同じ光軸（Ｚ）を共有している。
【００２４】
００２３の各被写体間距離（Ｔn）内の  Ｐ１、Ｐ２、Ｐ３の各主点（Ｐｎ）を境に、ｂ１の１０５ｍｍ、ｂ２の７０ｍｍ、ｂ３の２８ｍｍの各結像主点間距離（ｂｎ）と  Ｗ１の１０５０ｍｍ、Ｗ２の７００ｍｍ、Ｗ３の２８０ｍｍの各被写体主点間距離（Ｗｎ）が含まれている。
【００２５】
図１の移動した３５０ｍｍ寸法面の各被写体面寸法（Ｙｎ）が各主点（Ｐｎ）の移動により結像面に投影された時、同じ３５０ｍｍ寸法の映像面が維持され写されている。
【００２６】
００２３と００２４の数値で
Ｙ１：Ｗ１＝Ｘ：ｂ１は３５０ｍｍ：１０５０ｍｍ＝３５ｍｍ：１０５ｍｍ
Ｙ２：Ｗ２＝Ｘ：ｂ２は３５０ｍｍ：  ７００ｍｍ＝３５ｍｍ：  ７０ｍｍ
Ｙ３：Ｗ３＝Ｘ：ｂ３は３５０ｍｍ：  ２８０ｍｍ＝３５ｍｍ：  ２８ｍｍ
以上で Ｙｎ：Ｗｎ＝Ｘ：ｂｎの比例式になり
Ｔ１＝Ｗ１+ｂ１，Ｔ２＝Ｗ２+ｂ２，Ｔ３＝Ｗ３+ｂ３が
Ｔｎ＝Ｗｎ+ｂｎになり
主点選択距離（Ｂ）＝Ｔ÷（（１÷（Ｘ÷Ｙ））＋１）
Ｔ＝（（１÷（Ｘ÷Ｙ））＋１）×ｂ
Ｘｎ＝Ｙ÷（（Ｔ÷ｂ）−１）
以上の式が成立する。
【００２７】
図２は縦軸ｂが結像主点間距離（ｂ）で３５ｍｍから１０５ｍｍまでの範囲で表し、横軸Ｔが被写体間距離（Ｔ）で５０ｃｍから１０００ｃｍまでの範囲で表し、３５ｃｍの被写体面線（Ｇ），５０ｃｍの被写体面線（Ｈ），１ｍの被写体面線（Ｉ），２ｍの被写体面線（Ｊ），４ｍの被写体面線（Ｋ），８ｍの被写体面線（Ｌ）で示し、各被写体面寸法（Ｙ）を線で表したグラフ表。
【００２８】
００１４で焦点調整リング（２）が稼動し、センサ（２Ａ）が探知しステップを刻み送信し、ＣＰＵ（１０）は受信したステップの数毎に被写体間距離（Ｔ）数値に変換され認識する。
【００２９】
００１５で倍率調整リング（３）が稼動、センサ（２Ａ）が探知しステップを刻み送信し、ＣＰＵ（１０）は受信したステップの数毎に結像主点間距離（ｂ）数値に変換され認識する。
【００３０】
００１６で選択ボタン（４）が稼動、センサ（４Ａ）が探知しステップを刻み送信し、ＣＰＵ（１０）は受信したステップの数毎に被写体面寸法（Ｙ）の数値に変換され認識する。
【００３１】
初期設定として選択ボタン（４）のＯＦＦを指標（５）の位置に設定、切替スイッチ（６）をマニュアル状態にして、焦点調整リング（２）を最至近距離５０ｃｍに設定、倍率調整リング（３）はワイド端の３５mmに設定する。
【００３２】
００３１で選択ボタン（４）のＯＦＦでスイッチ（５A）がＯＮになりCＰU（１０）へ送信し、ＣＰＵ（１０）はスイッチ（５A）の受信によりリセット状態になり、センサ（２A）、センサ（３A）、センサ（４A）の各情報をリセットし、スイッチ（５A）からの信号解除を待つ。
【００３３】
選択ボタン（４）のＯＦＦの位置から回転させ、希望の 被写体面寸法（Ｙ）を指定すると、ＣＰＵ（１０）はスイッチ（５Ａ）の信号が途絶えたことで機能し、次にセンサ（４Ａ）からの信号を確認し、被写体面寸法（Ｙ）の数値を割り出す。
【００３４】
センサ（２Ａ）は００３１の初期設定で最少のステップゼロから始まるので最至近距離５００ｍｍと認識している。
【００３５】
センサ（３Ａ）は００３１の初期設定で最少のステップゼロから始まるので結像主点間距離（ｂ）がワイド端の３５ｍｍと認識している。
【００３６】
センサ（４Ａ）は００３１の初期設定で最少のステップゼロから始まるので被写体面寸法（Ｙ）が最小の３５０ｍｍと認識される。
【００３７】
ＣＰＵ（１０）は００３４の被写体間距離（Ｔ）５００ｍｍ、００３６の被写体面寸法（Ｙ）３５ｍｍ、０００５でのビデオカメラ（１）の結像面寸法（Ｘ）３５ｍｍの数値を基に００２６の主点選択距離（Ｂ）＝Ｔ÷（（１÷（Ｘ÷Ｙ））＋１）式により計算する。
【００３８】
ＣＰＵ（１０）は００１９のように００３５の結像主点間距離（ｂ）３５ｍｍを基準に００３７の結果の主点選択距離（Ｂ）数値が少なくて数値が変わらない間、拡大スイッチ（１１）へ送信し続け、結像主点間距離（ｂ）より主点選択距離（Ｂ）が多くなるか同じに成れば送信を止める。
結像主点間距離（ｂ）＞主点選択距離（Ｂ）→送信  拡大スイッチ（１１）
結像主点間距離（ｂ）≦主点選択距離（Ｂ）→停止  拡大スイッチ（１１）
【００３９】
ＣＰＵ（１０）は００１９のように００３５の結像主点間距離（ｂ）３５ｍｍを基準に００３７の結果の主点選択距離（Ｂ）数値が多くて数値が変わらない間、縮小スイッチ（１２）へ送信し続け、結像主点間距離（ｂ）より主点選択距離（Ｂ）が少なくなるか同じに成れば送信を止める。
結像主点間距離（ｂ）＜主点選択距離（Ｂ）→送信  縮小スイッチ（１２）
結像主点間距離（ｂ）≧主点選択距離（Ｂ）→停止  縮小スイッチ（１２）
【００４０】
００３３の被写体面寸法（Ｙ）の指定が３５ｃｍなら、
００３９から初期設定で結像主点間距離（ｂ）は３５ｍｍだから、
Ｔ５００÷（（１÷（Ｘ３５÷Ｙ３５０））＋１） ＝主点選択距離（Ｂ）約４５.４５で
結像主点間距離３５＜主点選択距離４５.４５→送信  縮小スイッチ（１２）
【００４１】
縮小スイッチ（１２）はＯＮになり、００２２によりビデオカメラ（１）のテレ端の方にズームのリモコンがＯＮになり倍率調整リング（３）が稼動する。
【００４２】
００４１によりテレ端の結像主点間距離（ｂ）１０５ｍｍ方向に移動するので００４０の結像主点間距離３５ｍｍの数値が増え主点選択距離（Ｂ）の４５．４５に近づき００３９の結像主点間距離４５.４５≧主点選択距離４５.４５→停止  縮小スイッチ（１２）で倍率調整リング（３）の稼動が止まり、被写体間距離（Ｔ）５０ｃｍにピンとの合う被写体面寸法（Ｙ）は３５ｃｍに成る。
【００４３】
００３３の被写体面寸法（Ｙ）の指定が８mなら、
００３９から初期設定で結像主点間距離（ｂ）は３５ｍｍだから、
Ｔ５００÷（（１÷（Ｘ３５÷Ｙ８０００））＋１）≒主点選択距離（Ｂ）２.１８で、
結像主点間距離３５＞主点選択距離２.１８→送信  拡大スイッチ（１１）
【００４４】
拡大スイッチ（１１）はＯＮになり、００２１によりビデオカメラ（１）のワイド端の方にズームのリモコンがＯＮになり倍率調整リング（３）を稼動させようとする。
【００４５】
００４４によりワイド端の結像主点間距離（ｂ）３５ｍｍ方向に移動しようとするがこれ以下の結像主点間距離は無いので変わらず、００４０の結像主点間距離３５ｍｍの数値も変わらず主点選択距離（Ｂ）の２.１８に近づけず拡大スイッチ（１１）はそのままで、被写体面寸法多重指定スイッチの範囲外になる。
【００４６】
００３３の次に切替スイッチ（６）をオートフォーカス機能の方に移行する。
【００４７】
ビデオカメラ（１）が正対した物体に対してオートフォーカスが作用し、ピントを合わせるため焦点調整リング（２）が回転稼動しピントが合って停止する。
【００４８】
ＣＰＵ（１０）は焦点調整リング（２）の稼動で被写体間距離（Ｔ）の変化した数値と００３３で変化した被写体面寸法（Ｙ）数値で主点選択距離（Ｂ）＝Ｔ÷（（１÷（Ｘ÷Ｙ））＋１）を計算する。
【００４９】
００３８か００３９と繰り返し、センサ（４Ａ）から受信があれば優先し００３３の被写体面寸法（Ｙ）数値の割り出しから始まり、センサ（２Ａ）とセンサ（３Ａ）の受信を繰り返す。
【００５０】
以上を繰り返す事により００４７でピントが合っていて倍率調整リング（３）の稼動が止まっている時、００３３で指定した被写体面寸法（Ｙ）の映像が得られている。
【００５１】
焦点調整リング（２）と倍率調整リング（３）の役割を交換することで００２６のＴ＝（（１÷（Ｘ÷Ｙ））＋１）×ｂの式で希望の被写体面寸法（Ｙ）の映像が得られる。
【００５２】
光学ズームレンズ式でなく、デジタルズームの場合は００２６の結像面選択寸法（Ｘｎ）＝Ｙ÷（（Ｔ÷ｂ）−１）の式で結像面寸法（Ｘ）を変化させ希望の被写体面寸法（Ｙ）の映像が得られる。
【００５３】
被写体に発信装置を設置しそれに正対するよう上下、左右、平行等に駆動させ発信装置を探知し追跡する機能を合致させた、自動追跡撮影方法（平１−１３４３５１）等の撮影装置に、被写体面寸法多重指定スイッチを設定。
【００５４】
画面情報から被写体を追跡しながら撮影する装置に被写体面寸法指定スイッチを設定。
【００５５】
【発明の効果】
被写体に対し、一人、多数、顔、バストアップ等、最初に設定すれば動く被写体に対しても焦点、あるいは倍率を調整するだけで希望の画像を得ることができるし自動焦点機能をもつ撮影装置を使えば被写体に撮影装置を向けるだけで希望の画像を得る事ができ、動く被写体も楽に追跡撮影が出来るし部品の共通性も多く倍率調整リング機能をそのまま被写体寸法多重選択スイッチに変換することで操作が簡単になる。
【００５６】
サーキット競技等モータースポーツ、競技をする人、競技用の球類などの追跡撮影等簡単な操作で済み、動く被写体に対して有効に作用する。
【００５７】
インターネット、テレビ電話等、焦点固定レンズを使用するカメラにも操作が簡単になり、ピントを合わす事により綺麗で鮮明な画像が写せる。
【００５８】
被写体に発信装置を設置し、撮影装置に方向探知機能を付け  その発信装置に正対するよう上下、左右に稼動、平行移動等駆動すれば自動的に被写体面寸法を維持しながら自動追跡撮影することになりカメラマンが不要になる、又被写体面寸法をリモコン等で操作できるようにすれば、離れた場所から他の事をしながら自在に拡大、縮小と選択でき誰にでも自在の映像が得られるし、各装置の反応精度、速度によっては発信装置を球技のボール等に組み込むことにより、通常カメラマンが目で追えない被写体でも自動的に撮影することができ発信装置が設定可能の動くに被写体に有効に作用する。
【００５９】
００５８の効果は００５５、００５６、００５７にも有効で、家庭用ビデオカメラ購買の殆どの理由は子供の成長過程を撮るためで、学校での行事、レジャー等に多く利用される、しかしビデオ自体重く、目的の子供を追いながらの撮影操作が困難だったり、録画時間は充分あっても長時間撮影ばかりしていられず、良い瞬間を見逃す事が多かったが、００５８式で撮影すると、簡単に出来、子供が迷子になっても簡単に探すことが出来る。
【図面の簡単な説明】
【図１】    移動しても結像面に写る３５０ｍｍ寸法の被写体面は変化しない説明図である。
【図２】    図１を基にした各寸法をもつ被写体面で横軸Ｔの被写体間距離数と縦軸ｂの各主点距離数を各線で示した表の説明図である。
【図３】    本願発明の全体ブロック図である。
【図４】    ビデオカメラ（１）である。
【図５】    図４の指標（５）と指定対象となる選択ボタン（４）のＯＦＦと各寸法を表示した説明図である。
【符号の説明】
１    ビデオカメラ
２    焦点調整リング
２Ａ  焦点調整リング（２）のセンサ
３    倍率調整リング
３Ａ  倍率調整リング（３）のセンサ
４    オンオフの切替え兼用選択ボタン
４Ａ  選択ボタン（４）のセンサ
５    選択ボタン（４）の指標
５Ａ  選択ボタン（４）のＯＮ，ＯＦＦスイッチ
６    マニュアルとオートフォーカスの切替えスイッチ
７    １１,１２の情報を外部に出力する出力ジャック
８    ケーブル
９    リモコンジャック
１０  CＰU
１１  拡大スイッチ
１２  縮小スイッチ
Ｂ    Ｔ÷（（１÷（Ｘ÷Ｙ））＋１）演算結果
ｂ    主点（Ｐ）から結像面までの距離で結像主点間距離
ｂｎ  各主点（Ｐｎ）から結像面までの各距離で各結像主点間距離
Ｐ    主点
Ｐｎ  Ｐ１，Ｐ２，Ｐ３の各主点
Ｔ    被写体面から結像面までの距離で被写体間距離
Ｔｎ  各被写体面から結像面までの各距離で各被写体間距離
Ｗ    被写体面から主点（Ｐ）までの距離で被写体主点間距離
Ｗｎ  各被写体面から各主点（Ｐｎ）までの各距離で各被写体主点間距離
Ｘ    結像面寸法
Ｘｎ  結像面からの投影寸法が変化した画像寸法
Ｙ    被写体面寸法
Ｙｎ  Ｙ１，Ｙ２，Ｙ３の各被写体面寸法
Ｚ    光軸
Ｇ    ３５cmの被写体面寸法（Ｙ）維持を表した線
Ｈ    ５０cmの被写体面寸法（Ｙ）維持を表した線
Ｉ    １ｍの被写体面寸法（Ｙ）維持を表した線
Ｊ    ２ｍの被写体面寸法（Ｙ）維持を表した線
Ｋ    ４ｍの被写体面寸法（Ｙ）維持を表した線
Ｌ    ８ｍの被写体面寸法（Ｙ）維持を表した線
【図１】
0004346008.tif 000002
【図２】
0004346008.tif 000003
【図３】
0004346008.tif 000004
【図４】
0004346008.tif 000005
【図５】
0004346008.tif 000006